【事件の表示】
　特願２０００−１５４９０３「スプレー容器」拒絶査定不服審判事件〔平成１３年１２月　４日出願公開、特開２００１−３３４１８２〕について、次のとおり審決する。
【結　論】
　本件審判の請求は、成り立たない。
【理　由】
１．手続の経緯及び本願発明
　本件出願は、平成１２年５月２５日に出願され、平成１８年４月１１日付けで拒絶理由が通知され、平成１８年６月９日付けで意見書及び手続補正書が提出され、平成１８年６月２８日付けで拒絶査定され、これに対し、平成１８年８月３日に拒絶査定に対する審判請求がなされたものであって、その請求項１〜３に係る発明は、平成１８年６月９日付けの手続補正書により補正された明細書及び図面の記載からみて、特許請求の範囲の請求項１〜３に記載された事項により特定されるものと認められ、そのうち、請求項３に係る発明（以下、単に「本願発明」という。）は、次のとおりである。
「【請求項３】　容器本体にねじ止めにより固定されるキャップと、前記キャップの前記容器本体への固定と共に前記容器本体に固定されるシリンダと、前記シリンダ内に上下方向に移動可能に延在させた中空の第一のステムと、前記第一のステム内に上下方向に移動可能に配置した第二のステムと、前記第二のステム内に摺動可能に配置したピストンガイドと、前記第一および／または第二のステムに嵌合させると共に前記第二のステム底部を閉鎖させるように配置した、前記シリンダ内面を前記ステムの移動に伴って摺動するピストンと、前記第一または第二のステム上端と嵌合したノズル付頭部と、前記シリンダと前記ピストンとの間に配置した第一のばねと、前記ピストンガイドと前記ピストンとの間に配置した第二のばねとを具える、前記ノズルより前記容器本体内の内容物を噴出させるスプレー容器において、
　前記第二のステム、前記ピストンガイドおよび前記ピストンによって形成される、前記容器本体の内容物から隔離された空気室を設け、前記第二のばねを前記空気室内に配置したことを特徴とするスプレー容器。」
　
２．引用文献
（１）原査定の拒絶理由に引用された特開昭５０−１４０９０７号公報（以下、単に「引用文献１」という。）には、次の事項が図面とともに記載されている。
　（ア）「ポンプ室を形成する第１シリンダを有し、該シリンダは不還弁を介して滴下管に通じ、該シリンダの中に中空ピストンが摺動可能に設けられ、第２シリンダを有し、該シリンダは第１シリンダに通じ、該シリンダの中にピストンが摺動可能に設けられ、該ピストンは第１シリンダと噴霧器のノズルとの連通を阻止するように配置された弁に連結し、第２ピストン上に作用して前記の連通を阻止する位置に前記の弁を押付ける弾性装置を有し、第２シリンダは第１ピストン内に作られた凹所によつて構成され第１シリンダに対して移動できる噴霧器において、第１ピストンが拡大部５ｂを有し、該拡大部内に第２シリンダ１０が形成され、第１シリンダ１および第２シリンダ１０は同じ内部断面を有していることを特徴とする噴霧器。」（第１頁下左欄４〜１８行）
　（イ）「図面において香水用の噴霧器は滴下管と通じ、成るべくはこれと一体のシリンダ１を有し、シリンダと滴下管の間には不還弁４が介在している。中空のピストン５はシリンダの中を摺動する。シリンダ１はピストン５を受ける部分よりも大きな断面部分１ａを有し、内部ねじ栓２によつて固定したスリーブ２１に嵌つている。部分１ａは外部カラー１ｂを有し、このカラーはスリーブ２１の内部環状凹所２１ａに堅く嵌つている。弁４の近くのシリンダ１の内端と、ピストン５の内部肩５ａとの間にスプリング２２が延びている。
　ピストン５はシリンダ１内を摺動する部分より径の大きくなつた部分５ｂが上方へ延び、部分５ｂに近い一端にカラー５ｃを具えている。カラー５ｃは部分５ｂを囲んだスリーブ２３を支え、スリーブ２３の上端部は径が小さくなり、管６内に取付けられ、管６はノズル８に通じている。
　円筒形中空部１０がピストン５の拡大部５ｂ内に設けられ、この中空部１０は第２シリンダを構成し、この中にピストン１３が摺動可能に設けられ、ピストン１３はシリンダ１０を２室１４、１５に分ける。ピストン１３に杆１６が固定され、この杆は所定の間隙をおいてスリーブ２３ｂの縮小端部を横切り、杆１６の一端部１６ａはスリーブ２３ｂ内に作られた座２３ａと係合するように配置された弁を構成する。室１５の底とピストン１３との間に介在したスプリング１７は弁１６ａを押して座２３ａと衝合させる。スリーブ２３ｂによって作られた室１４は、拡大部５ｂの外面に設けられた溝５ｄ及び拡大部５ｂの内部孔５ｅによって中空ピストン５と通じている。
　室１５は噴霧器の貯蔵部の内部と通じ、この貯蔵部の上に栓２が設けられ、拡大部５ｂ内に作られた通路５ｆによって、シリンダ１の拡大部１ａの内部に通じ、かつ拡大部１ｂの底に設けられた孔１ｃによってピストン５の外部と通じている。スリーブ２３ｂはスリーブ２１の内部肩２１ｂと衝合するように配置された外部肩２３を有する。」（第２頁上右欄２行〜同頁下左欄１９行）
　（ウ）「休止位置においてスプリング２２はピストン５を上方位置に押し、肩２３を肩２１ｂに押付ける。スプリング１７は弁１６ａを座２３ａに押付ける。」（第２頁下左欄２０行〜同頁下右欄２行）
　（エ）「噴霧器が直ちに使用できる状態にあるとして、使用者が押ボタン７を押圧すると、押ボタンはピストン５をスリーブ２３ｂとともに押下げる。シリンダ内に収容された液体は孔５ｅ及び溝５ｄを通つて室１４に供給される。弁１６ａは座２３ａ上に載つているので、液体はノズル８へ流れることができない。室１４内の圧力がスプリング１７の作用する力と釣合つたとき、ピストン１２は下方に移動し、弁は座を離れ、圧力下にある液体はノズル８へ流れてこれから出る。この運動は、押ボタン７の上の圧力による運動の速度と実際上等しい速度で行われる。この押ボタンのストロークの終りに圧力が降下し弁１６ａはスプリング１７によつて座に戻る。
　使用者が押ボタンを緩めると、スプリング２２はピストン５及びスリーブ２３ｂを元の位置に戻し、スリーブの肩２３はスリーブ２１の肩２１ｂに衝合する。この運動中、液体は貯蔵器（図示しない）から不還弁５を通ってシリンダ１に吸込まれる。
　ピストン５の運動中、空気が貯蔵器に入り、スリーブ２３ｂとスリーブ２１の間の環状空間及び孔１ｃを通って引かれた液体と入れ替わる。
　更に、若しピストン１３の可撓性封鎖唇が流体密でないならば、室１５に入る液体は空間５ｆ及び孔１ｃを通って貯蔵器に戻ることができる。」（第２頁下右欄３行〜第３頁上左欄８行）
　　
　（オ）上記の記載事項（ア）〜（エ）及び図面の記載を総合すると、引用文献１には、次のような発明が記載されているものと認められる。
　「貯蔵器にねじ止めにより固定される栓２と、栓２の前記貯蔵器への固定と共に前記貯蔵器に固定される第１シリンダ１と、前記第１シリンダ１内に上下方向に移動可能に延在させた中空のスリーブ２３ｂと、前記第１シリンダ１の内面を摺動するピストン部とそのピストン部から上方に延びて前記スリーブ２３ｂ内に上下方向に移動可能に配置され、ピストン部と壁部により区画された円筒形状の第２シリンダ１０を構成する拡大部５ｂとからなり、前記スリーブ２３ｂの移動に伴って上下に移動するように一体的に作製された第１ピストン５と、前記第１ピストン５の第２シリンダ１０を構成する拡大部５ｂ内に摺動可能に配置され、前記第２シリンダ１０を上方室１４と下方室１５に区分する第２ピストン１３と、前記スリーブ２３ｂの上端と嵌合したノズル８を備えた押ボタン７と、前記第１シリンダ１と前記第１ピストン５のピストン部との間に配置したスプリング２２と、前記第２ピストン１３と前記第１ピストン５のピストン部との間に配置したスプリング１７とを具える、ノズル８より貯蔵器内の液体を噴出させる噴霧器において、
　前記第１ピストン５の前記第２シリンダ１０を構成する拡大部５ｂ、前記第２ピストン１３および前記第１ピストン５のピストン部によって形成される前記下方室１５を設け、前記スプリング１７を前記下方室１５内に配置した噴霧器。」（以下、「引用文献１記載の発明」という。）
　　
（２）原査定の拒絶理由に引用された実願昭４９−７８９号（実開昭５０−９３３０５号）のマイクロフィルム（以下、単に「引用文献２」という。）には、次の事項が図面とともに記載されている。
　（ア）「以下図面について説明すると、１は容器体、２はその口頸部で該口頸部には頂壁中央部に挿通孔３を有するキャップ４が螺合させてある。
　口頸部２の頂面へフランジ５を係合させて底部内面に逆止弁６を有する第１シリンダ７を容器体内に垂設させる。該シリンダ下端には容器体底部に達する吸上げ管８を嵌合させる。
　第１シリンダ７内へは作動部材９下端部に形成された第１ピストン部１０を挿入させる。該作動部材は中空管１１下端にその第１ピストン部１０を、上端に噴霧ヘッド１２を有する。その中空管１１は既述挿通孔３を通つて外方へ突出される。第１ピストン部１０は下端開放の筒状となし、該内部から中空管１１を通つてノズル孔１３まで連通され、その中間に弁座１４を有する。図示例の場合は中空管上端に形成させたが、その下端部に形成することも可能である。」（明細書第２頁１１行〜第３頁７行）
　（イ）「第１ピストン部１０内へは下端を閉塞させ、上端を開口する第２シリンダ１６を嵌合させる。該シリンダの底面中央部から下方へ突出させた突部１７は後述第１スプリング１８のガイドであり、又上方へ突出させた突棒１９は第２スプリング２０及び弁体部材２１のガイドである。第２シリンダ１６側面上下方向に縦溝２２を設けて第１シリンダ内液体が第１ピストン部内面と第２シリンダ外面との間を通つて上方から第２シリンダ内へ流入可能に設けておく。
　第２シリンダ１６内へは弁体部材２１の下部たる第２ピストン部２３を入れ、その上端に形成させた弁体部２４を弁座１４へ圧着可能とする。その圧着のため第２シリンダ底部と第２ピストン部との間に第２スプリング２０を設ける。尚第１ピストン部１０を常時上方へ付勢すべく、第１シリンダ内底部と第２シリンダ１６との間に第１スプリング１８を設けておく。」（同第３頁８行〜第４頁４行）
　（ウ）「上記構成において噴霧ヘッド１２を押下げすると、予め第１シリンダ内に入つていた液体は第１ピストン部１０の下降に伴い、縦溝２２を通って第２シリンダ部１６内へ流入するが、このとき弁座１４は弁体部２４によつて閉塞されているため、その流入量の増加によって加圧される。該圧力が一定圧に達したとき第２スプリング２０の押上げ力に抗して第２ピストン部２３が押下げられ、従つて弁体部２４が下降して弁座１４を開放し、このとき加圧液体はノズル孔１３から噴出する（第２図参照）。該噴出による液体圧減少によつて再び第２スプリング２０が弁体部材を押上げ、従つて弁座１４は閉塞される。噴霧ヘッド押下げ開放によつて第１スプリング１８が第１ピストン１０を押上げ、このとき第１シリンダ内は負圧化するため吸上げ管８、逆止弁６を通つて容器体内液体が流入し、次の噴霧ヘッド押下げに備える。」（同第４頁５行〜第５頁１行）
　（エ）「本案は上記構成とするものであり、このように第２シリンダ内に入つた液体が一定圧に高まつたときだけ自動的に弁体部材２１が引き下げられて噴霧し、かつその液体圧が弱まつたときは直ちに弁体部材が上昇して噴霧を中止するよう設けたから、従来のように噴霧ヘッド押下げの始めと終りの加圧力が弱いときに霧化が不完全となつて液体のまゝ飛び出すことがなく、又各部材を別々に形成させたから各部材構造が簡易化されて、それ等の一体成形が容易かつ組立が簡易となり、更に第２ピストン部２３、第２シリンダ１６はすべて第１シリンダ部１０内へ収納されるから第１シリンダ７内を大きくすることが可能で、噴霧器小型化の上からも有利である。」（同第４頁２〜１５行）
　
３．当審の判断
（１）本願発明と引用文献１に記載された発明との対比
　本願発明と引用文献１に記載された発明とを対比すると、引用文献１に記載された発明における「噴霧器」、「貯蔵器」、「液体」、「栓２」、「第１シリンダ１」、「スリーブ２３ｂ」、「第２ピストン１３」、「ノズル８を備えた押ボタン７」、「スプリング２２」及び「スプリング１７」は、それらの形状、構造及び機能等からみて、本願発明における「スプレー容器」、「容器本体」、「内容物」、「キャップ」、「シリンダ」、「第一のステム」、「ピストンガイド」、「ノズル付頭部」、「第一のばね」及び「第二のばね」にそれぞれ相当する。
　また、引用文献１に記載された発明においては、「第１ピストン５」は、（本願発明の「シリンダ」に相当する）第１シリンダ１内を摺動する「第１ピストン５のピストン部」とそのピストン部から上方に延びて（本願発明の「第一のステム」に相当する）スリーブ２３ｂ内に上下方向に移動可能に配置されてピストン部と壁部により区画された円筒形状の第２シリンダ１０を構成する「第１ピストン５の拡大部５ｂ」とからなり、（本願発明の「第一のステム」に相当する）スリーブ２３ｂの移動に伴って上下に移動するように一体的に作製されているが、これらの「第１ピストン５のピストン部」及び「第１ピストン５の拡大部５ｂ（あるいは、拡大部５ｂが構成する第２シリンダ１０）」は、それらの機能からみて、本願発明の「ピストン」及び「第二のステム」にそれぞれ相当する。そして、拡大部５ｂが構成する円筒形状の第２シリンダ１０は、底部に壁部が形成されてピストン部と区画され、さらに、内部に摺動可能に配置される（本願発明の「ピストンガイド」に相当する）第２ピストン１３によって２室１４と１５に区分されている。その上方室１４は、拡大部５ｂの外面に設けられた縦溝５ｄ及び拡大部５ｂの内部孔５ｅを介して中空のピストン部及び（本願発明の「シリンダ」に相当する）第１シリンダ１の（本願発明の「液室」に相当する）内部空間に連通し、液体の流路の一部を形成する。一方の下方室１５は、（本願発明の「ピストンガイド」に相当する）第２ピストン１３によって、液体の流路の一部を形成する上方室１４と区分され、拡大部５ｂに設けられた通路５ｆによって第１シリンダ１の拡大部１ａでピストン部の外部に通じさらにシリンダ１の孔１ｃを介して噴霧器の貯蔵器の内部に連通されている。また、この下方室１５には、第２シリンダ１０の底壁部（すなわち、ピストン部の上壁部）と（本願発明の「ピストンガイド」に相当する）第２ピストン１３との間に（本願発明の「ピストンガイド」に相当する）第２ピストン１３を上方に付勢する（本願発明の「第二のばね」に相当する）スプリング１７が配設されているところであり、この「下方室１５」は、その構造及び機能からみて、本願発明の「空気室」に相当する。
　したがって、本願発明と引用文献１に記載された発明は、「容器本体にねじ止めにより固定されるキャップと、キャップの容器本体への固定と共に容器本体に固定されるシリンダと、シリンダ内に上下方向に移動可能に延在させた中空の第一のステムと、第一のステム内に上下方向に移動可能に配置したステム部材（本願発明においては「第二のステム」、引用文献１に記載された発明においては「第１ピストン５の拡大部５ｂ」）と、該ステム部材内に摺動可能に配置したピストンガイドと、シリンダ内面を第一のステムの移動に伴って摺動するピストン部材（本願発明においては「ピストン」、引用文献１に記載された発明においては「第１ピストン５のピストン部」）と、第一のステム上端と嵌合したノズル付頭部と、シリンダとピストンとの間に配置した第一のばねと、ピストンガイドとピストン部材との間に配置した第二のばねとを具える、ノズルより容器本体内の内容物を噴出させるスプレー容器において、ステム部材、ピストンガイドおよびピストン部材によって形成される空気室を設け、第二のばねを空気室内に配置してなるスプレー容器。」である点で一致し、次の〈相違点〉において相違する。
　〈相違点〉ピストン部材とステム部材の関係において、本願発明においては、ピストン部材とステム部材はそれぞれピストンと第二のステムであり、これらの両部材は、ピストンが第二のステムの底部を閉鎖するように配置されて第二のステムに嵌合するように構成され、第二のばねを配置する空気室は、容器本体の内容物から隔離されているのに対し、引用文献１に記載された発明においては、ピストン部材とステム部材はそれぞれピストン部と拡大部であり、これらの両部材は第１ピストン５として一体的に作製され、拡大部が構成する円筒形状の第２シリンダ１０は壁部によりピストン部と区画され、第二のばねを配置する空気室は、容器本体の内容物から隔離されているのか定かでない点。
　
（２）相違点についての検討
　前記〈相違点〉について検討するに、本願発明においては、ピストンと第二のステムは別部材として構成されているが、ピストンを第二のステム底部を閉鎖させるように配置してピストンと第二のステムを嵌合状態で一体化させているところであり、ノズル付頭部の押下げにより、内容物は、シリンダ内の液室８５からピストンに設けた透孔８８、第一のステムと第二のステムの間に設けた隙間８９、第二のステムに設けた透孔９０等を介して第二のステムとピストンガイドの上面とにより形成される室へ流れるように構成されており、また、第二のばねを配置する空気室は、第二のステムの側面に設けた空気孔９２、第一のステムと第二のステムの間に設けた隙間９３、ノズル付頭部７８の内部空間、第一のステムとキャップ及びシリンダとの間の隙間９５、９６、シリンダ側面に設けた空気孔９７等を介して、外部や容器本体内と連通して、それらの間で空気の流れを許容するように構成され、容器本体の内容物から隔離されている。一方、引用文献１に記載された発明は、ピストンと第二のステムにそれぞれ相当するピストン部と拡大部は第１ピストンとして一体的に作製され、拡大部が構成する円筒形状の第２シリンダ（第二のステム）は底の壁部によりピストン部（ピストン）と区画されているところであり、第一のばねが配置され内容物を収容する液室は、拡大部５ｂの内部孔５ｅや拡大部５ｂの外面に設けられた縦溝５ｄ等を介して第２シリンダ（第二のステム）と第２ピストン（ピストンガイド）の上面とにより形成される上方室１４に連通してそれらの間で内容物の流れを許容し、第二のばねが配置された下方室１５（空気室）は、拡大部５ｂ内に作られた通路５ｆ、シリンダ１に設けられた孔１ｃ等を介してピストン５の外部、第一のステムとキャップのスリーブ２１の間の環状空間や容器本体内と連通し、それらの間で空気の流れを許容するように構成されている。
　また、引用文献２においては、第２ピストン部２３を収容するとともに第２スプリング２０が配置された第２シリンダ１６（本願発明の「第二のステム」に相当する。）と第１シリンダ７内に摺動可能に配設された第１ピストン部１０（本願発明の「ピストン」及び「第一のステム」に相当する。）を別部材として構成し、これらの第１ピストン部１０と第２シリンダ１６を嵌合状態で一体化させ、それらの壁部間に内容物を流通させる縦溝を形成する技術手段が記載されているところである。
　よって、引用文献１に記載された発明のようなピストンと第二のステムを一体的に作製した構成と、本願発明のようにピストンと第二のステムを別部材としてそれらを嵌合した構成において、それらの作用効果において格別顕著な差異があるとは認められず、ピストン部材とステム部材をそれぞれピストンと第二のステムの別部材とし、これらの両部材をピストンが第二のステムの底部を閉鎖するように配置して第二のステムに嵌合するように構成することは、引用文献１に記載された発明や引用文献２に記載された技術手段等を考慮すれば、当業者が必要に応じて格別な創意工夫を要することなく容易に想到しうる程度のものと認められる。
　次に、引用文献１に記載された発明における下方室１５（空気室）についてさらに検討するに、下方室１５（空気室）は、前述したように、第二のステム内の空間がピストンガイドによって内容物の流路の一部を形成する上方室１４と区分されて形成されているところであり、本願発明における第二のステム内がピストンガイドによって内容物の流路の一部を形成する室と区分されて形成されている空気室と同様の構成を備えているものであり、さらに、引用文献１に記載された発明における下方室１５（空気室）は、拡大部５ｂ内に設けられた通路５ｆやシリンダ１に設けられた孔１ｃ等を介してピストン５の外部、第一のステムとキャップのスリーブ２１の間の環状空間や容器本体内と連通し、ピストン５の運動中に空気が容器本体内の内容物と入れ替わることができるように、それらの間で空気の流れを許容するように構成されており、第二のステム内のピストンガイドには、空気室内に配置した第二のばねの荷重以外の例えば液圧等の要因に基づく圧力が加わることはなく、容器本体の内容物から隔離されているといえる。してみると、引用文献１に記載された発明における空気室は、作用効果の点においても、本願発明における空気室と格別な差異は認められない。
　なお、審判請求人においては、引用文献１における「更に、若しピストン１３の可撓性封鎖唇が流体密でないならば、室１５に入る液体は空間５ｆ及び孔１ｃを通って貯蔵器に戻ることができる。」（第３頁上左欄６〜８行）の記載を捉えて、『引用文献１に記載された噴霧器において、ポンプ動作を行って液体を噴霧する際には、液体が室１５内に導入される場合があり、引用文献１に記載のスプリング１７は液体の通路内に配置されており、その液体と接触する構成となっている。すなわち、引用文献１に記載の室１５は、本願発明の空気室のように、内容物から隔離された室ではなく、その構成が全く異なり、液体の噴霧時において、かかる室１５内に液体が導入されれば、スプリング１７の荷重以外に噴霧条件に関連する圧力の変化が発生し、本願発明のように、適切な空気圧を設定・維持することはできない。』という趣旨の主張を行っている。しかしながら、引用文献１における前記の記載は、「若しピストン１３の可撓性封鎖唇が流体密でないならば‥‥‥」と記載されていることからみて、『ピストン１３の可撓性封鎖唇』は通常は流体密に設けられており、室１５（空気室）には液体が入ることはないものである。しかし、もし『ピストン１３の可撓性封鎖唇』が流体密でない場合が生じても、室１５（空気室）に入る液体は、空気の流れを生じさせるために設けてある空間（通路）５ｆ及び孔１ｃを通って容器本体内に直ちに戻ることができることを意図するものである。そして、たとえ『ピストン１３の可撓性封鎖唇』が流体密でない場合であって液体が室１５に入るとしても、その液体は直ちに空間（通路）５ｆ及び孔１ｃを通って容器本体内に流下することとなり、室１５に入った液体の液圧が、空気室内に配置したスプリング１７（第二のばね）の荷重とともに、第２シリンダ１０内のピストン１３（ピストンガイド）に作用することはない。すなわち、引用文献１に記載された噴霧器において、『ピストン１３の可撓性封鎖唇』は通常は流体密に設けられており、空気室に液体が入り込むことはなく、この空気室は容器本体の内容物から隔離されているといえるものであり、本願発明における空気室と略同様の構成と機能を有するものと認められる。よって、この点に関する審判請求人の主張は採用できるものではない。
　また、引用文献２には、第２ピストン部２３（本願発明の「ピストンガイド」に相当する。）を移動可能に収容する第２シリンダ１６（本願発明の「第二のステム」に相当する。）の内部空間を、第２ピストン部２３（本願発明の「ピストンガイド」に相当する。）によって、内容物の流路の一部を形成する室（すなわち、第２ピストン部２３より上方の空間部）と第２スプリング２０（本願発明における「第二のばね」に相当する。）が配置される空間部の二つに区分した技術手段が記載されており、第２スプリング２０（本願発明における「第二のばね」に相当する。）が配置された空間部は、空気の流れを生じさせるための小孔が設けられているのみであり、第２ピストン部２３（本願発明の「ピストンガイド」に相当する。）には第２スプリング２０（本願発明における「第二のばね」に相当する。）の荷重以外の例えば液圧等の要因に基づく圧力が加わることはなく、第２スプリング２０（本願発明における「第二のばね」に相当する。）が配置された空間部は、容器本体の内容物からは隔離されている。
　よって、引用文献１に記載された発明における空気室はピストン１３の可撓性封鎖唇が流体密でない場合に内容物が入り込むことがあるとしても、引用文献２に第二のばねを配置する空気室を容器本体の内容物から隔離するように構成した技術手段が記載されているところであって、第二のばねを配置する空気室を容器本体の内容物から隔離するように構成することは、引用文献１に記載された発明や引用文献２に記載された技術手段等を考慮すれば、当業者が格別な創意工夫を要することなく容易に想到しうる程度のものと認められる。
　したがって、前記〈相違点〉に係る本願発明のような構成とすることは、引用文献１に記載された発明及び引用文献２に記載された技術手段に基づいて当業者が格別困難なく容易に想到し発明をすることができる程度のものと認められる。
　
　以上のように、本願発明は、引用文献１に記載された発明及び引用文献２に記載された技術手段に基づいて、当業者が格別な困難性を伴うことなく容易に想到し発明をすることができたものと認められ、しかも、本願発明は、全体構成でみても、上記各文献に記載されたものから予測できる作用効果以上の顕著な作用効果を奏するものとも認められない。
　
４．むすび
　以上のとおり、本願発明は、引用文献１に記載された発明及び引用文献２に記載された技術手段に基づいて当業者が容易に発明をすることができたものであるから、特許法第２９条第２項の規定により特許を受けることができない。
　よって、結論のとおり審決する。